(57)【要約】      （修正有）【課題】閉鎖板の基部と、それに面する枠組みとの接触を避けつつ、閉鎖板の閉鎖時において、枠組みと閉鎖板との間に十分な密閉性を確保でき、且つ十分な開放角度を確保し得る開閉ステーを提供する。【解決手段】枠組み６に固定されるベース１と、枠組み６に支持されて揺動する閉鎖板５に固定される取付板２と、ベース１にその長さ方向に隣接して旋回自在に支持された一対のアーム３，４を備え、取付板２は、一対のアーム３，４の一方のアーム３の旋回領域を回転自在に支持する固定軸受けと、他方のアーム４の旋回領域の端部を摺動自在に支持する摺動ガイドを備え、一対のアーム３，４に、各アーム３，４の旋回軸を中心として相互に噛み合いつつ回転する歯車を備える。【選択図】図１
2019183462.tif 000002
【特許請求の範囲】
【請求項１】
枠組みに固定されるベースと、
前記枠組みに支持されて揺動する閉鎖板に固定される取付板と、
前記ベースに当該ベースの長さ方向に隣接して旋回自在に支持された一対のアームを備え、
前記取付板は、前記一対のアームの一方のアームの旋回領域を回転自在に支持する固定軸受けと、他方のアームの旋回領域の端部を摺動自在に支持する摺動ガイドを備え、
前記一対のアームに、各アームの旋回軸を中心として相互に噛み合いつつ回転する歯車を備えることを特徴とする開閉ステー。
【請求項２】
前記一対のアームは、それぞれの旋回軸からそれぞれの回転軸又は摺動軸に至る長さが相違することを特長とする請求項１に記載の開閉ステー。
【請求項３】
前記一対のアームは、それぞれの歯車の回転角度毎の歯数が相違することを特徴とする請求項１又は請求項２のいずれかに記載の開閉ステー。
【発明の詳細な説明】
【技術分野】
【０００１】
本発明は、窓などにおいて、その枠組みに障子や羽板などの閉鎖板を揺動自在に支持する開閉ステーに関する。
【背景技術】
【０００２】
従来、前記開閉ステーは、窓の開閉装置の構成要素であって、窓枠に取り付けられるベースの一端部に、障子取付板の一端部が回転自在に連結されたものが知られている（下記特許文献１又は特許文献２参照）。
このような障子の開閉装置は、障子が閉じた時に、屋内への風雨等の吹き込みを防止すべく、当該障子と窓枠との隙間を塞ぐことが求められる。
【先行技術文献】
【特許文献】
【０００３】
【特許文献１】実開昭６２−１８０１７４号公報
【特許文献２】実開平２−３４６７７号公報
【発明の概要】
【発明が解決しようとする課題】
【０００４】
しかしながら、上記のような、障子取付板が、単に、窓枠に固定されたベースに対して回転自在に支持されているだけの構造（上記特許文献２参照）では、特に、障子の基部において、窓枠に対する障子枠の密着が困難となり、十分な密閉性を得ることができないという問題がある。
そこで敢えて当該基部の密着性を得ようとすれば、当該基部と、それに面する窓枠との接触が強くなり、障子の開閉に伴う消耗によって、長期にわたる耐用性を確保できないという問題がある。
【０００５】
一方、ベースに沿って摺動するスライダが備えるラックと、第二アームが備える歯車との関係で、障子取付板に支持された障子を窓枠から離脱させることによって、当該障子の基部とそれに面する窓枠との、障子の開閉に伴う接触を回避する構成が紹介されているが、部品点数が比較的多くなり複雑な構造となっている（上記特許文献１参照）。
【０００６】
本発明は、上記実情に鑑みて為されたものであって、閉鎖板の基部と、それに面する枠組みとの接触を避けつつ、閉鎖板の閉鎖時において、枠組みと閉鎖板との間に十分な密閉性を確保でき、且つ十分な開放角度を確保し得る簡素な構造を持った開閉ステーの提供を目的とする。
【課題を解決するための手段】
【０００７】
上記課題を解決すべく為された本発明による開閉ステーは、枠組みに固定されるベースと、前記枠組みに支持されて揺動する閉鎖板に固定される取付板と、前記ベースに当該ベースの長さ方向に隣接して旋回自在に支持された一対のアームを備え、前記取付板は、前記一対のアームの一方のアームの旋回領域（軸受け部の遠心方向において回転走査する領域）を回転自在に支持する固定軸受けと、他方のアームの旋回領域の端部を摺動自在に支持する摺動ガイドを備え、前記一対のアームに、各アームの旋回軸を中心として相互に噛み合いつつ回転する歯車を備えることを特徴とする。
【０００８】
前記一対のアームは、それぞれの旋回軸からそれぞれの回転軸又は摺動軸に至る長さが相違する構成を採ることができる。
また、前記一対のアームは、それぞれの歯車の回転角度毎の歯数が相違する構成を採ることもできる。
前記障子の枠組みからの離脱量及び開閉量を大きくするには、双方の構成を備えることが望ましい。
【発明の効果】
【０００９】
以上の如く本発明による開閉ステーを使用すれば、枠組みに取付けられるベースにその長さ方向に隣接して旋回自在に支持された一対のアームを備え、前記ベースは、前記一対のアームの一方のアームの旋回領域を回転自在に支持する固定軸受けと、他方のアームの旋回領域を摺動自在に支持する摺動ガイドを備え、前記一対のアームに、各アームの旋回軸を中心として相互に噛み合いつつ回転する歯車を備える構成によって、前記枠組みに対して外側への閉鎖板の移動が可能となって、閉鎖板の開放時において当該閉鎖板の基部とそれに面する枠組みとの接触を回避することができると共に、閉鎖板の閉鎖時において枠組みの外面と閉鎖板の内面との密着を確保することができる。
【００１０】
前記一対のアームは、それぞれの旋回軸からそれぞれの回転軸又は摺動軸に至る長さが相違する構成を採り、又はそれぞれの歯車の回転角度毎の歯数が相違する構成を採ることによって、比較的簡素な構成にもかかわらず、前記閉鎖板の枠組みからの離脱量及び開閉量を有効に調整することができる。
【図面の簡単な説明】
【００１１】
【図１】本発明による開閉ステーの一例を示す（Ａ）：閉鎖時及び（Ｂ）：開放時の縦断面概略図である。
【図２】本発明による開閉ステーの一例を示す分解斜視図である。
【図３】本発明による開閉ステーの一例を示す縦断面図である。
【図４】本発明による開閉ステーの動作の一例を示す説明図である。
【発明を実施するための形態】
【００１２】
以下、本発明による開閉ステーの実施の形態を図面に基づき説明する。
図１に示す開閉ステーの例は、窓の枠組み６に取付けられるベース１と、窓の閉鎖板（以下「障子５」という）に取付けられる障子取付板２と、前記ベース１にその長さ方向に隣接して旋回自在に支持された一対のアーム３，４を備える。
【００１３】
この例の前記ベース１、障子取付板２及び一対のアーム３，４は、それぞれアルミ合金製の金属板を裁断し、適宜曲げ成形及び孔開け加工を施したものである。
尚、前記ベース１、障子取付板２及び一対のアーム３，４は、アルミニウム合金以外の、鉄やステンレスその他求められる強度を満たす素材で製造することもできる。
【００１４】
この例の前記ベース１は、前記金属板を長方形状に裁断し、その中央に、長手方向に沿って一列に並べた、一対の旋回軸孔ｂ，ｂと、一対（必要に応じて増減）の固定孔ａ，ａを穿設したものである。
前記ベース１において、前記固定孔ａ，ａは、長手方向の端部に配置され、前記旋回軸孔ｂ，ｂは、長手方向に沿ってその中央部に隣接して配置されている。
【００１５】
この例の前記障子取付板２は、前記金属板を、前記ベース１の約２倍程度の長さを持つ長方形に裁断し、その中央に、長手方向に沿って一列に並べた、丸孔ｃと、長孔ｄと、一対（必要に応じて増減）の固定孔ｅ，ｅを穿設したものである。
この例では、当該障子取付板２の一端部に前記丸孔ｃを配置し、当該障子取付板２の他端部に、同他端部から中間部に至る長さを有する長孔ｄを配置すると共に、前記丸孔ｃと前記長孔ｄとの間、及び当該長孔ｄを挟んで反対側の延長線上に、一対の固定孔ｅ，ｅを配置する。
このような構成を採ることによって、当該障子取付板２は、前記一対のアーム３，４の一方のアーム３（４）の旋回領域の端部（以下「旋回端部」という）を回転自在に支持する固定軸受け（丸孔ｃの周囲）と、他方のアーム４（３）の旋回端部を摺動自在に支持する摺動ガイド（長孔ｄの周囲）を備えた構成となる。
【００１６】
この例において、前記一対のアーム３，４は、相対的に長短をつけた長アーム４と短アーム３からなる。
前記長アーム４及び短アーム３は、一端部を円形に裁断し、他端部を歯車状に裁断し（以下「歯車４Ｇ，３Ｇ」という）、胴部を略一定幅に裁断した棒状の偏平部材である。
この例では、前記長アーム４は、前記短アーム３の略二分の三の長さであり、両アーム４，３の歯車４Ｇ，３Ｇは、双方の歯のピッチを等しくした上で、前記長アーム４の歯車４Ｇの歯数が、前記短アーム３の歯車３Ｇの歯数の三分の二に設定されている。
各歯車４Ｇ，３Ｇは、それぞれの中央に、前記ベース１の旋回軸孔ｂ，ｂに軸支される軸孔ｆ，ｆが穿設され、他端には、前記障子取付板２の丸孔ｃ及び長孔ｄにそれぞれ軸支される固定軸孔ｇ及び摺動軸孔ｈが穿設されている。
【００１７】
この例を構成する主な部材１，２，３，４は以上の如く構成され、前記ベース１に、長アーム４及び短アーム３の歯車４Ｇ，３Ｇが自由回転するように旋回軸ピンα，αで支持する。
前記旋回軸ピンαは、前記長アーム４及び短アーム３が脱離しないようにする幅広な頭部と、旋回軸となる胴部と、前記旋回軸孔ｂ，ｂに差し入れられた後に加締め等によって固定される先端部を備える。
その結果、各アーム３，４の歯車３Ｇ，４Ｇは、前記ベース１の上において旋回軸を中心として回転し、且つそれぞれの歯が相互に噛み合うこととなる。
【００１８】
前記障子取付板２に、前記短アーム３の前記旋回端部を自由回転するように固定軸ピンβで前記丸孔ｃに支持すると共に、前記長アーム４の前記旋回端部を自由回転するように摺動軸ピンγで前記長孔ｄに支持する。
前記固定軸ピンβ及び前記摺動軸ピンγは、前記長アーム４及び短アーム３が脱離しないようにする幅広な頭部と、旋回軸となる胴部と、前記固定軸孔ｇ及び摺動軸孔ｈに差し入れられた後に加締め固定される先端部を備える。
【００１９】
前記旋回軸ピンαの頭部が前記障子取付板２に干渉しないようにする措置として、前記固定軸ピンβ及び前記摺動軸ピンγの胴部を、前記旋回軸ピンαの胴部よりも、少なくとも、当該旋回軸ピンαの頭部の厚み以上長く設定する構成を採ることができる他、前記障子取付板２の固定孔ｅが穿設された領域を前記旋回軸ピンαの頭部が通過する領域として、当該頭部の軌跡を避け得る量だけ均一に退避（陥没）させる曲げ成形を施し、平坦な障子固定領域とする構成を採ることができる。
【００２０】
本発明による開閉ステーは、上記具体的な構成に限るものではなく、前記一対のアーム３，４の動き及びアーム３，４相互の関わりを妨げない限り、前記主な構成要素の形態を変更することができる。
前記一対のアーム３，４の、それぞれの旋回軸からそれぞれの回転軸又は摺動軸に至る長さの比、相噛み合うそれぞれの歯車３Ｇ，４Ｇの回転角度毎の歯数の比についても、当該開閉ステーが採用される閉鎖板５の用途に応じて、必要とする閉鎖板５の開き角度又は閉鎖板５の枠組み６からの離脱量に応じて、適宜設定することができる（図１参照）。
【００２１】
この例では、上記開閉ステーは、図１の如く、前記障子取付板２を前記障子５の框５ａの両側面（障子５の開閉の際に一定の仮想平面上を移動する面）にビス止め等で固定し、前記ベース１を、前記障子５の閉鎖時において前記両側面に固定した障子取付板２，２に面する定位置に固定することによって躯体に取り付けられる。
窓の水密製を確保するパッキング（図示省略）は、前記ベース１の位置決めの際、前記障子５の框５ａと枠組み６の間に、出来るだけ隙間無く狭持されるように、前記枠組み６に沿って固定する。
【００２２】
この例は、以上の構成によって、前記障子５の開放当初は、前記枠組み６の内面に沿って、略平行に移動し始め、開放が進むに従って、前記短アーム３と長アーム４の旋回角度の差が高まる結果、平行移動から開き角度が徐々に増加し、比較的大きな角度まで開放する機能を奏することとなる（図４参照）。
尚、開き状態の補強や維持の観点からエアシリンダなどのダンパ装置やストッパを付設した構成を採ることもできる。  
【符号の説明】
【００２３】
ａ  固定孔，ｂ  旋回軸孔，ｃ  丸孔，ｄ  長孔，
ｅ  固定孔，ｆ  軸孔，ｇ  固定軸孔，ｈ  摺動軸孔，
α  旋回軸ピン，β  固定軸ピン，γ  摺動軸ピン，
１  ベース，
２  取付板，
３  （短）アーム，
４  （長）アーム，５  閉鎖板（障子），５ａ  （障子の）框，
６  枠組み，
【図１】
2019183462.tif 000003
【図２】
2019183462.tif 000004
【図３】
2019183462.tif 000005
【図４】
2019183462.tif 000006